(57)【特許請求の範囲】
【請求項１】
カード状のデータ記憶媒体装置（２）を積み重ねたカードスタック（１）のための装置差込コネクタであって、前記データ記憶媒体装置がこれらのデータ記憶媒体装置の少なくとも１つの縁面で合致するように互いに上下に配置されており、これらのデータ記憶媒体装置がそれぞれ少なくとも１つの半導体集積回路と、この半導体集積回路に結合された少なくとも１つの外側接続部とを有している形式のものにおいて、
外側接続部が片持ち式の接触面（３）として形成されており、この接触面（３）が、カード状のデータ記憶媒体装置の積み重ね方向に対して直角に、データ記憶媒体装置（２）の差込方向で延びており、かつ、装置差込コネクタがカードスタック（１）の挿入のための開口を備えた絶縁材から成るケーシング（４）を有しており、このケーシング内に、カードスタック（１）の挿入のための前記開口へ向かって延びる多数のコンタクトばね（５）が配置されており、これらのコンタクトばねにより、装置差込コネクタ内に差し込まれたカードスタック（１）の接触面（３）が電気的に互いに、かつ装置差込コネクタに設けた接続部（６，７）とも結合可能であることを特徴とする、カード状のデータ記憶媒体装置を積み重ねたカードスタックのための装置差込コネクタ。
【請求項２】
カードスタック（１）の接触面（３）側の、コンタクトばね（５）の端部（８）がフレキシブルに変形可能に形成されており、その結果、カード状の少なくとも１つのデータ記憶媒体装置（２）が装置差し込みコネクタに差し込まれた場合に、コンタクトばね（５）の隣合う端部（８）と装置差込コネクタの接続部（６，７）とが接続されて連続的に延びる１つのコラム状のコンタクトを形成することを特徴とする、請求項１記載の装置差込コネクタ。
【請求項３】
コンタクトばねの端部（８）以外に、隣合うコンタクトばね（５）の、ケーシング（４）の内部に固定された端部（９）が互いに電気的に結合されていることを特徴とする、請求項１または２記載の装置差込コネクタ。
【請求項４】
カード状のデータ記憶媒体装置（２）がそれぞれ規則的に互いに並んで配置された複数の平行な接触面を備えており、かつ、互いに対応する外側接続部がカードスタック（１）内でコラム状に互いに上下に配置されており、かつ、これに相応して、互いに結合されたコンタクトばね（５）が装置差込コネクタ内で同様にコラム状に互いに上下に配置されていることを特徴とする、請求項１から３までのいずれか１項記載の装置差込コネクタ。
【発明の詳細な説明】
本発明は、カード状のデータ記憶媒体装置（data carrier arrangement）を積み重ねたカードスタックのための装置差込コネクタであって、前記のデータ記憶媒体装置がこれらのデータ記憶媒体装置の少なくとも１つの縁面で合致するように互いに上下に配置されており、これらのデータ記憶媒体装置がそれぞれ少なくとも１つの半導体集積回路と、この半導体集積回路に結合された少なくとも１つの外側接続部とを有している形式のものに関する。
この種のデータ記憶媒体装置のスタック（積み重ね）のための装置差込コネクタは既にドイツ連邦共和国特許出願第４４３５１２２．４号明細書に記載され、それゆえ公開されている。しかし、上記明細書にはたんに積み重ね可能なカードだけが開示されており、このカードでは、外側接続部が、カードの一方の縁面に配置された接続面を備えている。この配置により、この種の複数のカードが問題なく互いに上下に位置させられ、その結果、同種類の多数のデータ記憶媒体装置が無駄な付加的な補助手段なしに同時に加工装置に接続されることができる。接続面がそれぞれ縁面上にのみ配置されている場合、要するにカードの周りを巡ってカードの主要面へ続いていない場合には、互いに上下の接続部の接触は適当な接続ソケット内の接触バーを介して生ぜしめられることができる。このソケットは例えばアクセス装置内に配置されていてもよいが、しかし接続ソケットとして組込まれずに取り扱うこともできる。
本発明の課題とするところは、カードの外側接続部がそれぞれ平面状にカードのカード面内に配置されずに、むしろ外側接続部がそれぞれコンタクトブレートとして縁面から突出しており、そのカードは要するにスタック内では最初は互いに上下に結合されておらず、スタックの個々のカードが装置差込コネクタ内で初めて１つの共通のデータベースに接続されるような冒頭に記載した形式の装置差込コネクタを提供することにある。
本発明によればこの課題は、冒頭に記載した形式の装置差込コネクタにおいて、外側接続部が片持ち式の接触面として形成されており、この接触面が、カード状のデータ記憶媒体装置の積み重ね方向に対して直角に、データ記憶媒体装置の差込方向で延びており、かつ、装置差込コネクタがカードスタックの挿入のための開口を備えた絶縁材から成るケーシングを有しており、このケーシング内に、カードスタックの挿入のための前記開口へ向かって延びる多数のコンタクトばねが配置されており、これらのコンタクトばねにより、装置差込コネクタ内に差し込まれたカードスタックの接触面が電気的に互いに、かつ装置差込コネクタに設けた接続部とも結合可能であることにより解決される。
本発明のその他の構成が従属請求項に記載されている。
次に、本発明にもとづく装置差込コネクタの構造を図面について詳しく説明する。ここに、
第１図は装置差込コネクタとカードスタックとを差込み過程の開始状態で断面した側面図を示し、
第２図は装置差込コネクタの別の実施例を断面した平面図を示し、
第３図および第４図は装置差込コネクタ内に配置されたコンタクトばねの接触面側の端部の互いに異なる２つの実施例をそれぞれ斜視図と側面図とで示す。
第１図の右側部分に４つのカードを積み重ねたカードスタック１が示されている。カードの端部領域内にはそれぞれカード材料内に切欠が設けられており、その結果、舌状またはピン状に形成された接触面３が、自由であるがしかし保護されずにそれぞれのカードに配置されている。しかし、この構成は本発明の枠内において必ずしも強要されず、半導体回路を機械的に固定して電気的に接続したリードフレーム（打ち抜き成形された回路基板;stamped circuit board）とコンタクトブレードとの一体的な構成も同様に可能である。
第１図の左側部分には装置差込コネクタの、差込方向に開いた絶縁材から成るケーシングが示されている。ケーシング４の内部に固定されたコンタクトばね５が略示されている。コンタクトばね５の、接触面側の端部８をフレキシブルに変形可能に構成するのが有利であり、その結果、カード状の少なくとも１つのデータ記憶媒体装置２を挿入した場合に、隣合う端部８が装置差込コネクタの接続部６および７に接続された連続的に延びる１つのコラム状のコンタクトを形成する。それゆえこの構成では、カードが１つだけしか差し込まれていない場合でも機能が保証される。装置差込コネクタの接続部６および７は例えばプリント配線板への接触を生ぜしめるろう接接続部として形成することができる。ケーシング４の内部に固定された、隣合うコンタクトばね５の端部９が電気的に互いに結合（ループスルー;loop through）されていることによっても、付加的または選択的に、１つのカードから次のカードへの結合が行われる。
第２図、第３図および第４図は端部８がフレキシブルに変形可能に形成されているコンタクトばね５の特別な構成が示されている。このコンタクトばねは特に舌状の接触面３を受容するのに適している。この図示の実施例ではスタック方向、つまり積み重ね方向で上向きおよび下向きの変形可能性が得られる。
カードは一般に、規則的に互いに並んで配置された複数の、現在では通常８つの平行な接触面を備えている。規則的な間隔により、互いに対応する外側接続部がカードスタック１内でコラム状に互いに上下に配置されることが可能であり、かつこれに相応して、互いに結合されたコンタクトばね５が装置差込コネクタ内で同様にコラム状に互いに上下に配置されることが可能である。それゆえ、例えば８つのこの種のコラムが装置差込コネクタ内で互いに並んで配置されることができる。このことにより、互いに上下に位置していて相共にスタックとして装置差込コネクタ内に差し込まれた複数のカードの互いに結合された対応する外側接続部はバスシステムを形成し、その結果、スタックのすべてのカードへのアクセスが、上述のドイツ連邦共和国特許出願明細書に詳細に記載されているような制御装置または加工装置により１つだけの装置差込コネクタを介して行われることができる。
カードスタックは場合により電着によるボンディングのために設けられる接触面を配置した縁面だけを合致せしめて互いに上下に位置することができる。要するに例えば、スタック内のカードの半分および全体を交換することができる。同様に、ダミーカードまたはバス増幅器カードをスタック内に挿入することができる。
【図１】
0003773532.tif 000002
【図２】
0003773532.tif 000003
【図３】
0003773532.tif 000004
【図４】
0003773532.tif 000005